(57)【要約】【課題】補強部材を追加することなく表示パネル回りの剛性を高めることができる電子機器を提供する。【解決手段】電子機器３０は、表示パネル３と、該表示パネルを保持するための部材であって該表示パネルの背面側に配置されたベース部２０を有する第１のフレーム１と、表示パネルを保持するための部材であってその少なくとも一部が該表示パネルの表示面側に配置された第２のフレーム２とを有する。第１のフレームは、ベース部から第２のフレーム側に延びる支持部２１〜２４を有する。支持部は、ベース部からの立ち曲げ部１ａを含む４箇所以上の曲げ部１ａ〜１ｄを有し、第２のフレームが外力を受けた場合に該４箇所以上の曲げ部のうち立ち曲げ部を除く２つの曲げ部の間の部分で該第２のフレームを支える。【選択図】図１
2008191434.tif 000002
【特許請求の範囲】
【請求項１】
表示パネルと、
前記表示パネルを保持するための部材であって、該表示パネルの背面側に配置されたベース部を有する第１のフレームと、
前記表示パネルを保持するための部材であって、その少なくとも一部が該表示パネルの表示面側に配置された第２のフレームと、
前記第１のフレームは、前記ベース部から前記第２のフレーム側に延びる支持部を有し、
前記支持部は、前記ベース部からの立ち曲げ部を含む４箇所以上の曲げ部を有し、前記第２のフレームが外力を受けた場合に該４箇所以上の曲げ部のうち前記立ち曲げ部を除く２つの曲げ部の間の部分で該第２のフレームを支えることを特徴とする電子機器。
【請求項２】
表示パネルと、
前記表示パネルを保持するための部材であって、該表示パネルの背面側に配置されたベース部を有する第１のフレームと、
前記表示パネルを保持するための部材であって、その少なくとも一部が該表示パネルの表示面側に配置された第２のフレームとを有し、
前記第１のフレームは、前記ベース部から前記第２のフレーム側に延びる支持部を有し、
前記支持部は、前記ベース部に対して前記第２のフレーム側に曲げられた第１の部分と、該第１の部分に対して前記ベース部側とは反対側に曲げられた第２の部分と、該第２の部分に対して前記第２のフレーム側に曲げられた第３の部分と、前記第３の部分に対して前記第２のフレーム側とは反対側に曲げられた第４の部分とを少なくとも有し、前記第２のフレームが外力を受けた場合に前記第２の部分で該第２のフレームを支えることを特徴とする電子機器。
【請求項３】
前記支持部における前記第２のフレーム側の端部は、前記外装部材が外力を受けた場合に該外装部材又はこれに取り付けられた部品を支えることを特徴とする請求項１又は２に記載の電子機器。
【請求項４】
前記ベース部は該電子機器のシャーシに対して固定され、
前記支持部における前記第２のフレーム側とは反対側の端部は、前記支持部が外力を受けたときに前記シャーシによって支えられることを特徴とする請求項１から３のいずれか１つに記載の電子機器。
【発明の詳細な説明】
【技術分野】
【０００１】
本発明は、表示パネルを有する電子機器に関する。
【背景技術】
【０００２】
デジタルカメラ等の電子機器の薄型化に伴い、ＬＣＤ等の表示パネルも薄型化されており、外力に対して弱くなっている。特に、薄型の電子機器は衣服のポケットに入れられて携帯されることが多く、使用者の動きによって大きな外力が加わるおそれがある。
【０００３】
このため、特許文献１には、電子機器内で表示パネルを保持するフレームに、別部材としての補強部材を取り付けることで表示パネル回りの剛性を上げる方法が開示されている。
【特許文献１】特開２００３−３１６２７５号公報（段落００１８〜００１９、図１等）
【発明の開示】
【発明が解決しようとする課題】
【０００４】
しかしながら、特許文献１のようにフレームに別部材である補強部材を取り付ける方法では、部品の増加による重量の増加や製造コストの上昇を招く。
【０００５】
本発明は、別部材としての補強部材を追加することなく表示パネル回りの剛性を高めることができるようにした電子機器を提供する。
【課題を解決するための手段】
【０００６】
本発明の一側面としての電子機器は、表示パネルと、該表示パネルを保持するための部材であって該表示パネルの背面側に配置されたベース部を有する第１のフレームと、表示パネルを保持するための部材であってその少なくとも一部が該表示パネルの表示面側に配置された第２のフレームとを有する。第１のフレームは、ベース部から第２のフレーム側に延びる支持部を有する。そして、支持部は、ベース部からの立ち曲げ部を含む４箇所以上の曲げ部を有し、第２のフレームが外力を受けた場合に該４箇所以上の曲げ部のうち立ち曲げ部を除く２つの曲げ部の間の部分で該第２のフレームを支えることを特徴とする。
【０００７】
また、本発明の他の側面としての電子機器は、表示パネルと、該表示パネルを保持するための部材であって該表示パネルの背面側に配置されたベース部を有する第１のフレームと、該表示パネルを保持するための部材であってその少なくとも一部が該表示パネルの表示面側に配置された第２のフレームとを有する。第１のフレームは、ベース部から第２のフレーム側に延びる支持部を有する。支持部は、ベース部に対して第２のフレーム側に曲げられた第１の部分と、該第１の部分に対してベース部側とは反対側に曲げられた第２の部分と、該第２の部分に対して第２のフレーム側に曲げられた第３の部分と、第３の部分に対して第２のフレーム側とは反対側に曲げられた第４の部分とを少なくとも有する。そして、第２のフレームが外力を受けた場合に該第２の部分で該第２のフレームを支えることを特徴とする。
【発明の効果】
【０００８】
本発明によれば、第１のフレームの曲げ加工によって形成された支持部の剛性を上げることができるとともに、外力を受けた第２のフレームを該支持部によって支えることができる。このため、補強部材のような新たな部品を追加することなく、表示パネル回りの剛性を高めることができる。
【発明を実施するための最良の形態】
【０００９】
以下、本発明の好ましい実施例について図面を参照しながら説明する。
【実施例１】
【００１０】
まず図５には、本発明の実施例である電子機器としてのデジタルカメラを示している。該カメラ３０の前面には、図に点線で示すように、撮影レンズ１６が取り付けられている。一方、カメラ３０の背面側では、ＬＣＤ等の表示パネル３の表示面を透明な保護板７を通して観察できる。表示パネル３には、該カメラ３０で撮像された画像やカメラ３０の機能を設定するためのメニュー画像を表示する。また、カメラ３０の背面には、該カメラ３０の撮像モードや機能を選択するための操作部材１５が配置されている。
【００１１】
図１には、図５に示したカメラ３０をＢ−Ｂ線で切断したときの表示パネル３の保持構造の断面の一部を示している。また、図２には、該保持構造を含むカメラ３０の表示パネル側の構成を分解して示している。
【００１２】
６はカメラ３０のシャーシであり、このシャーシ６には、撮影レンズ１６やＣＣＤセンサ、ＣＭＯＳセンサ等の撮像素子や電気回路基板等が取り付けられる。シャーシ６は、剛性の高い金属材料により形成することが好ましいが、樹脂材料により形成してもよい。また、本実施例のカメラ３０には、独立した部品としてのシャーシ６が設けられているが、必ずしもこのようなシャーシ６を持たなくてもよく、下フレーム１のベース部２０を支えるシャーシ６に代わる構造がカメラ内にあればよい。このような構造を含めて「シャーシ」と称してよい。
【００１３】
１は金属材料により形成された下フレーム（第１のフレーム）であり、そのベース部（矩形の平面部）２０は表示パネル３の背面側にてビスによりシャーシ６に固定される。ただし、ベース部２０のシャーシ６に対する固定方法としては、後述する外装部材８による押し付けで固定するようにしてもよい。
【００１４】
５は表示パネル３を背面側から照明するためのバックライトを均一に表示パネル３に入射させる光学シートである。下フレーム１のベース部２０における光学シート５の外側には、樹脂で形成されたスペーサ４が配置される。このスペーサ４におけるベース部２０とは反対側の端部には、表示パネル３が載せられる。
【００１５】
そして、該表示パネル３の表示面側から金属材料により形成された上フレーム（第２のフレーム）２が被せられる。上フレーム２は、表示パネル３の表示面（ただし、画像が表示される領域の外側）に当接する押さえ部２ａと、該押さえ部２ａの外周から下フレーム１側に延びる脚部２ｂとを有する。上フレーム２は、下フレーム１に固定若しくは下フレーム１に固定されたスペーサ４に固定される。このときの固定方法は、つめ形状による引っ掛けやビス締め、後述する外装部材８による押し付けを含むいずれの方法でもよい。
【００１６】
上フレーム２は、外装部材８によって覆われる。外装部材８には、前述した表示パネル３を保護するための保護板７が両面テープ１０により取り付けられている。また、上フレーム２と保護板７との間には、後述する外力の分散機能と表示パネル３側へのごみや埃の侵入を防止する機能とを有するクッション材９が配置される。
【００１７】
なお、保護板７は必ずしも必要ではなく、外装部材８に表示パネル３の表示面を観察可能とする開口が形成されているだけであってもよい。この場合、上フレーム２と外装部材８との間又は外装部材８に取り付けられた保護板７以外の部材との間にクッション材９が配置される。
【００１８】
次に、下フレーム１の形状について詳細に説明する。図３は、下フレーム１の全体を示す斜視図である。ベース部２０に形成された穴１ｉ，１ｊはスペーサ４の位置決めに用いられる。スペーサ４に形成されたピン部が該穴１ｉ，１ｊに挿入されることで、下フレーム１に対するスペーサ４の位置が決まる。また、ベース部２０に形成された穴１ｋは、シャーシ６に設けられたボス部が挿入される穴であり、さらに穴１ｉに挿入されたスペーサ４のピン部がさらにシャーシ６に形成された穴に挿入されることで、下フレーム１がシャーシ６に対して位置決めされる。
【００１９】
下フレーム１は、本実施例では長方形状のベース部２０と、該ベース部２０の四辺部の特定の長さ領域にわたって曲げ加工によって形成された４つの支持部２１〜２４とを有する。
【００２０】
図４には、図３に示した下フレーム１の支持部２１〜２４のうち１つの支持部（図では支持部２３）のＡ−Ａ線断面を示す。４つの支持部２１〜２４はすべて同様の曲げ形状を有する。
【００２１】
各支持部は、ベース部２０からの上フレーム２側への立ち曲げ部１ａを含む４箇所の曲げ部１ａ〜１ｄを有し、より具体的には以下のような形状を有する。
【００２２】
各支持部は、立ち曲げ部１ａで上フレーム２側に９０度曲げられた第１の部分１ａｂと、該第１の部分１ａｂの上フレーム２側の端である曲げ部１ｂでベース部２０側とは反対側（下フレーム１の外側）に９０度曲げられた第２の部分１ｂｃとを有する。また、各支持部は、第２の部分１ｂｃの外側の端である第３の曲げ部１ｃで上フレーム側に９０度曲げられた第３の部分１ｃｄを有する。さらに、各支持部は、第３の部分１ｃｄの上フレーム２側の端である第４の曲げ部１ｄで上フレーム２側とは反対側（シャーシ側）に１８０度曲げられた第４の部分１ｄｅを有する。
【００２３】
言い換えれば、下フレーム１を表示パネル側から見た場合、第１の曲げ部１ａはベース部２０に対して谷折りで９０度、第２の曲げ部１ｂは第１の部分１ａｂに対して山折りで９０度それぞれ曲げられている。さらに、第３の曲げ部１ｃは第２の部分１ｂｃに対して谷折りで９０度、第４の曲げ部１ｄは第３の部分１ｃｄに対して山折りで１８０度それぞれ曲げられている。
【００２４】
なお、本実施例では、下フレーム１の四辺部のすべてに支持部が形成されている場合を示しているが、必ずしも四辺部のすべてに支持部を形成する必要はない。
【００２５】
次に、下フレーム１と他の構成部品との関係について説明する。下フレーム１の各支持部に形成された第２の曲げ部１ｂと第３の曲げ部１ｃとの間の部分である第２の部分１ｂｃには、上フレーム２の脚部２ｂの端面が当接している。この当接部分を以下、第１の当接部１１という。言い換えれば、支持部における４箇所の曲げ部１ａ〜１ｄのうちベース部２０からの立ち曲げ部１ａを除く２箇所の曲げ部１ｂ，１ｃの間の部分が第１の当接部１１を構成する。
【００２６】
また、各支持部において第４の曲げ部１ｄから上フレーム２側とは反対側に延びる第４の部分１ｄｅの端面１ｅは、シャーシ６に当接している。この当接部分を以下、第２の当接部１２という。
【００２７】
さらに、各支持部において第３及び第４の部分１ｃｄ，１ｄｅの上フレーム２側の端部である第４の曲げ部１ｄは、上フレーム２を超えて外装部材８側に突出している。そして、第４の曲げ部１ｄには、外装部材８に取り付けられた部材である保護板７が当接している。この当接部分を以下、第３の当接部１３という。
【００２８】
なお、該第４の曲げ部１ｄは、外装部材８と直接当接してもよいし、外装部材８に取り付けられた保護板７以外の部材と当接してもよい。
【００２９】
次に、図１に示すように外装部材８に外力Ｐが加わったときの該外力の分散について説明する。なお、図１には、外力Ｐが外装部材８に対して表示パネル３の表示面に垂直な方向からのみ作用するように示しているが、実際の外力は該垂直な方向以外の方向から作用する場合がある。したがって、外力Ｐは、実際に外装部材８に作用する外力の垂直方向成分を示している。
【００３０】
外装部材８に外力Ｐが加わると、まず外装部材８と保護板７の剛性によって表示パネル３を含むカメラ３０の内部部品への外力の伝達を抑える。そして、この剛性を超える外力Ｐが加わると、該外力は、第３の当接部１３を介して下フレーム１の支持部２１〜２４へと伝わる外力成分と、クッション材９を介して上フレーム２に伝わる外力成分とに分散される。ただし、クッション材９には弾性があるため、大半の外力成分は第３の当接部１３を介して下フレーム１の支持部２１〜２４へと伝わる。
【００３１】
ここで、各支持部は、前述したように３箇所の９０度曲げ部１ａ，１ｂ，１ｃと１箇所の１８０度曲げ部１ｄとを有するので高い剛性を有する。また、各支持部における第４の部分１ｄｅは第２の当接部１２においてシャーシ６と当接している。言い換えれば、外力を受けた各支持部は、第２の当接部１２においてシャーシ６により支えられる。このため、支持部の剛性としては、上記４箇所の曲げ部１ａ〜１ｄを設けたことによる剛性にシャーシ６との当接による剛性も加わる。
【００３２】
各支持部の剛性が大きいほど、クッション材９を介して上フレーム２に伝わる外力成分は小さくなり、この結果、上フレーム２を介して表示パネル３に作用する外力成分も小さくなる。
【００３３】
さらに大きな外力Ｐが外装部材８に加わり、クッション材９を介して上フレーム２に伝わる外力成分も大きくなると、上フレーム２に伝わった外力成分は、第１の当接部１１を介して下フレーム１の各支持部に分散される。言い換えれば、外力を受けた上フレーム２は、各支持部における第２の部分１ｂｃによって支えられる。前述したように各支持部は４箇所の曲げ部１ａ〜１ｄを有して剛性が高く、また第４の部分１ｄｃが第２の当接部１２においてシャーシ６と当接しているので、さらに剛性が高くなる。したがって、大きな外力Ｐが加わった場合でも、表示パネル３に伝わる外力成分をきわめて小さくすることができる。
【００３４】
なお、上記実施例では、第１〜第３の当接部１１〜１３において外力Ｐが作用していない状態でも、下フレーム１の支持部と上フレーム２、支持部とシャーシ６及び支持部と外装部材（保護板７）とが当接している場合について説明した。しかし、外力Ｐが作用していない状態では第１〜第３の当接部１１〜１３に多少する隙間を持たせて組み立て誤差を吸収し、外力が加わった時点で第１〜第３の当接部１１〜１３が当接するように構成してもよい。また、上記実施例では、第１〜第３の当接部１１〜１３において下フレーム１の支持部と上フレーム２、支持部とシャーシ６及び支持部と外装部材（保護板７）とが直接当接する場合について説明した。しかし、各当接部において当接する部材間に別の部材が介在していてもよい。
【００３５】
要するに、第１〜第３の当接部１１〜１３において、外力Ｐが作用した場合に、下フレーム１の支持部によって上フレーム２が支えられ、支持部がシャーシ６によって支えられ、さらに支持部によって外装部材（保護板７）が支えられる構成であればよい。
【００３６】
また、上記実施例では、各支持部を４箇所での（４回の）曲げ加工によって形成した場合について説明したが、支持部の曲げ回数や形状はこれに限られず、４箇所以上の曲げ加工によって、第１の当接部１１のような上フレーム２との当接部を有すればよい。
【００３７】
さらに、上記実施例では、表示パネルを有するデジタルカメラについて説明したが、上記実施例と同様の表示パネルの保持構造を、デジタルカメラ以外の電子機器に採用してもよい。
【図面の簡単な説明】
【００３８】
【図１】本発明の実施例であるデジタルカメラにおける表示パネルの保持構造を示す断面図。
【図２】実施例のデジタルカメラにおける表示パネル側の構成部品を示す分解斜視図。
【図３】実施例における下フレームの形状を示す詳細図。
【図４】上記下フレームを図３中のＡ−Ａ線で切断した場合の拡大断面図。
【図５】実施例のデジタルカメラの背面外観図。
【符号の説明】
【００３９】
１  下フレーム
１ａ〜１ｄ  曲げ部
１ａｂ，１ｂｃ，１ｃｄ，１ｄｅ  支持部の第１〜第４の部分
２  上フレーム
３  表示パネル
４  スペーサ
５  光学シート
６  シャーシ
７  保護板
８  外装部材
９  クッション材
１１〜１３  当接部
２０  ベース部
２１〜２４  支持部
【図１】
2008191434.tif 000003
【図２】
2008191434.tif 000004
【図３】
2008191434.tif 000005
【図４】
2008191434.tif 000006
【図５】
2008191434.tif 000007